(57)【要約】【課題】クリップ付きの筆記具において、筆記具をポケット等から取り出す際に内部の生地等にクリップが引っかからないようにした筆記具を提供する。【解決手段】リフィール２を収納した本体１の外面に、内方に凹んだ格納部３を形成する。該格納部３にはクリップの取付部１４があり、クリップ７はこの取付部１４に枢着されている。クリップ７の大きさは、不使用時にクリップ７の全体がほぼ該格納部３内に収納される大きさである。また、該クリップ７の長さは、クリップの後端を押圧した際、該クリップの前端が上記本体の外面より突出する長さである。【選択図】図３
2009178870.tif 000002
【特許請求の範囲】
【請求項１】
本体の前端から筆記端が突出するようリフィールを本体内に収納した筆記具において、該本体の外面に内方に凹んだ格納部を形成し、該格納部にクリップの取付部を設け、該取付部に枢着したクリップが不使用時は該格納部内に収納され該クリップの後端を押圧した際該クリップの前端が上記本体の外面より突出するよう上記格納部にクリップを収納したことを特徴とする筆記具。
【請求項２】
上記クリップは本体の後端部から前端部にわたる長さを有し、外面にはグリップ部が形成されていることを特徴とする請求項１に記載の筆記具。
【請求項３】
上記本体内のリフィールは長手方向に移動可能に設けたスライド駒により筆記位置に突出され、上記クリップの後端を押圧した際スライド駒と共に収納位置に後退する請求項１または２に記載の筆記具。
【請求項４】
上記本体は断面略矩形状に形成されている請求項１から３のいずれかに記載の筆記具。
【発明の詳細な説明】
【技術分野】
【０００１】
本発明は、クリップ付の筆記具に関し、特にポケット等からの出し入れを考慮したクリップ付の筆記具に関するものである。
【背景技術】
【０００２】
筆記具として、ポケットやかばんに入れて簡単に携行できるように長さを比較的短くしたシャープペンシルやボールペン等の筆記具が知られている（例えば、特許文献１参照）。しかし、一般にこれらの筆記具には外方に突出するクリップが付いているためポケット等からペンを取り出すときに、ポケットやかばんの内部の生地等にクリップの後端が引っかかりやすく、取り出しにくい上に生地等を傷めやすい欠点がある。また、クリップの前端が外方に突出していると、ポケット等に差し込むときに引っかかるおそれがある。なお、クリップを軸筒から出没式に設けた筆記具も提案されているが（例えば特許文献２参照）、それらはいずれも筆記時にクリップが軸筒内に収納され、不使用時には該クリップが軸筒から突出する構造であるから、ポケット等から取り出す際にクリップが生地等に引っかかるという問題は解決されない。
【特許文献１】特開２００７−３０１７６４号公報（図１）
【特許文献２】実公平５−１４３６号公報（１欄２１〜２５行）
【発明の開示】
【発明が解決しようとする課題】
【０００３】
本発明の解決課題は、クリップを有する筆記具において、ポケット等に出し入れする際に内部の生地等に引っかかるおそれがなく、必要なときには確実にクリップとして機能できるクリップを有する筆記具を提供することである。
【課題を解決するための手段】
【０００４】
本発明によれば、本体の前端から筆記端が突出するようリフィールを本体内に収納した筆記具において、該本体の外面に内方に凹んだ格納部を形成し、該格納部にクリップの取付部を設け、該取付部に枢着したクリップが不使用時は該格納部内に収納され該クリップの後端を押圧した際該クリップの前端が上記本体の外面より突出するよう上記格納部にクリップを収納したことを特徴とする筆記具が提供され、上記課題が解決される。
【発明の効果】
【０００５】
本発明は、上記のように構成され、本体の前端から筆記端が突出するようリフィールを本体内に収納した筆記具において、該本体の外面に内方に凹んだ格納部を形成し、該格納部にクリップの取付部を設け、該取付部に枢着したクリップが不使用時は該格納部内に収納され該クリップの後端を押圧した際該クリップの前端が上記本体の外面より突出するよう上記格納部にクリップを収納したから、不使用時にはクリップの後端も前端も本体の外面に突出しないため、ポケット等に出し入れするときに引っかかるおそれはない。また、クリップの後端を押圧すると前端が本体の外面から突出するので、所望の箇所にクリップを挟んで保持させることができる。
【０００６】
また、上記筆記具においてクリップの長さを本体の後端部から前端部にわたる長さとし、外面に軟質性を有するグリップ部を形成すると、筆記の際本体の外周にグリップ部が位置するから、本体を把持しやすく、筆記しやすい。
【発明を実施するための最良の形態】
【０００７】
図１〜図５は、本発明の筆記具の一実施例を示し、本体１は断面略矩形状に形成され、内部にリフィール２を収納し筆記先端が本体の前端から突出するよう進退可能に設けてある。該本体１の外面には内方に凹んだ格納部３が形成されている。図３、図４に示すように、この実施例では、内部を長手方向に沿ってほぼ二分するよう本体１内を中板４で区画してその一方の空間を格納部３とし、他方の空間に上記リフィール２を収納するようにしてある。該格納部３は、後端部が閉塞され、前端部にテーパー部材５を装着して周囲が縁部６で囲まれた形状に形成してあるが、この格納部の形状、構造は筆記具全体の構造や該格納部に収納されるクリップ７に応じて適宜に形成することができる。なお、該テーパー部材５は、図６に示すように先部８が上記本体１の外面にほぼ沿う形状に形成され、リフィール２を突出させるための孔９を有し、本体内に設けた抜止爪１０に係合する係止爪１１を有する係止片１２を両側に具備している。そして、該係止片１２を本体１の受孔１３に嵌合させた状態で係止爪１１が上記抜止爪１０に係合して本体１に着脱可能に取り付けられ、該係止片１２を内方に押圧することにより係止爪１１が上記抜止爪１０から外れて本体から取り外される。テーパー部材は、本体の形状、構造により上記実施例に替えてその他適宜の構造に形成することができる。
【０００８】
上記格納部３には、クリップ７を揺動可能に保持するための取付部１４が形成されている。図３に示すように該取付部１４は上記格納部３の後部に形成した凹陥部１５に設けられ、外方に枢軸突起１６を有する２つの起立板１７で構成されている。クリップ７は、上記格納部３の後端部から前端部にわたる長さを有し、全体がほぼ格納部内に収納される大きさに設けられ、外面には軟質性を有するグリップ部１８が２色成形等の要領によりクリップ７と一体的に形成されている。なお、クリップベース部とグリップ部を別体に設け、グリップ部として合成樹脂材料、金属材料等で作った装飾プレート、キャラクター等を取り付けることもできる。また、該クリップの後端部側の裏面には上記取付部１４の起立板１７に対応して二つの取付板１９が突設され、該取付板１９には取付孔２０が形成されている。なお、クリップを設けた側面と反対側の上記本体１の側面にも、上述と同じようなグリップ部１８が形成されている。
【０００９】
上記クリップ７は、上記取付板１９が上記本体１の取付部１４の起立板１７の外側に位置するように組み合わせて上記枢軸突起１６に取付孔２０を嵌着することにより該取付部１４に揺動可能に枢着される。クリップ７裏面と中板４の間にはクリップの前端部７ｂが中板４に接する方向にクリップ７を回動付勢するようクリップばね２１を設けてある。クリップ７は、通常の状態では前端部７ｂおよび後端部７ａが格納部３内にあって本体１の外面から外方に突出しないような形状、好ましくはクリップの外面が上記本体の外面とほぼ一連をなす形状になるよう構成されている。また、該後端部７ａの裏面と上記中板４の凹陥部１５間には後端部の移動を許容するスペースが設けられ、クリップの後端部を押圧したときに該クリップが回動できるようにしてある。それにより、上記クリップ７は、後端部７ａを押圧したとき、該クリップ７の前端部７ｂが中板４から離れる方向に回動し、本体１の外面から該前端部７ｂが突出する長さを有している。
【００１０】
したがって、上記の構成によりクリップ７は不使用時、前端部、後端部が本体１の外面から外方に突出していないので、ポケットやかばんに出し入れする際に内部の生地等に引っかかるおそれがなく、生地等を傷めるおそれがない。また、必要時は上記クリップ７の後端部７ａを押圧すれば、クリップは回動して前端部７ｂが本体１の外面から外方に突出するから、該前端部7ｂと本体１の外面間に被挟着物を差し込んで、通常のクリップとして使用することができる。
【００１１】
上記リフィール２は本体１の長手方向に移動可能に設けたスライド駒２２により筆記位置に突出される。図に示す実施例では２本のリフィールを本体内に収納しているので、対象構造に形成された２つのスライド駒２２ａ、２２ｂを有している。図７は一方のスライド駒２２ａを示し、スライド駒の前端には上記本体内に形成した仕切り板２３（図９（Ａ）参照）に摺動可能に嵌挿する支柱２４が形成され、該仕切り板２３とスライド駒本体２５間には作動ばね２６が装着される。該スライド駒には、上記リフィール２の後端が嵌着する取付柱２７が形成され、本体１に設けた案内突起２８が入り込むガイド溝２９があり、後端の内方には係止板３０が設けられている。該係止板３０の前端には傾斜面３１が設けられ、後端には起立面３２が設けられている。また、外方には指当て部３３が有り、該指当て部３３は上記本体の後部側方に形成した長手方向に延びる操作孔３４から突出し、該スライド駒は上記作動ばね２６により上記操作孔３４の開口端に当接する位置まで後退する。
【００１２】
また、上記本体１の後端部には尾栓３５が固着される。図８に示すように、該尾栓３５は後部にストラップ孔３６を有し、両端には本体１に形成した係止突起３７に嵌合する係止孔３８が設けられている。該尾栓３５の中央には長手方向に延び上記中板４の凹陥部１５に形成した透孔３９に嵌合するよう弾性板４０が形成され、該弾性板４０の先端には上記中板４の透孔３９の側縁裏面に当接可能なスライド駒掛止板４１が形成されている。該スライド駒掛止板４１の前端には上記スライド駒２２の係止板３０の起立面３２が係合するよう起立面４２が形成され、後端には傾斜面４３が形成されている。なお、上記係止板３０の傾斜面３１およびスライド駒掛止板４１の傾斜面４３は、それぞれほぼフラットな平面に形成してあるが、湾曲面に形成してもよい。
【００１３】
上記弾性板４０の、図８において上面にはクリップ解除用突起４４が有り、該突起４４は上記透孔３９からクリップ７の裏面に向けて突出している。なお、上記クリップ７の裏面には、上記解除用突起４４の先端に対向するようリブ４５が形成されている。該リブ４５と解除用突起４４の関係は、クリップ７の後端部７ａを押圧していないとき、上記解除用突起４４も押されず、上記スライド駒掛止板４１は上記中板４の裏面に当接した状態を維持する。一方、クリップ７の後端部７ａを押圧したときは、該リブ４５により上記クリップ解除用突起４４が押されて上記スライド駒掛止板４１は上記弾性板４０の弾性に抗して上記中板４の裏面から離れ、中板４の裏面とスライド駒掛止板４１との間に上記スライド駒の係止板３０が通過できる隙間を生じる。そして、押圧を止めたら上記弾性板４０の作用で該スライド駒掛止板４１が上記中板４の裏面に当接する位置に復帰するような関係に構成してある。
【００１４】
上記の構成により不使用状態では、図９（Ａ）に示すようにいずれのリフィールも作動ばね２６により後退位置に移動され、同図（Ｂ）、（Ｃ）に示すようにスライド駒の
係止板３０は傾斜面３１が尾栓３５の弾性板４０に設けたスライド駒掛止板４１の後端の傾斜面４３に係合している。そして、指当て部３３により一方のスライド駒２２ａを前進させると、該スライド駒２２ａの係止板３０は弾性板４０の弾性に抗して上記スライド駒掛止板４１を中板４から離れる方向に押し退けながらその間に生じた空間をくぐって該スライド駒掛止板４１の前方に移動し、図１０（Ａ）に示すように筆記先端がテーパー部材５の孔９から突出するとともにこの状態で、図１０（Ｂ）、（Ｃ）に示すように、前端の起立面４２に係止板３０の起立面３２が係合して筆記位置に該リフィールを保持するから、筆記することができる。このとき、他方のリフィールのスライド駒２２ｂは係止板３０の傾斜面３１がスライド駒掛止板４１の後端の傾斜面４３に係合したままであり、後退位置に保持されている。
【００１５】
上記筆記状態にあるリフィールを後退させるときは、他方のリフィールのスライド駒２２ｂの指当て部３３を少し前進させればよい。すなわち、図１１に示すように、他方のリフィールのスライド駒２２ｂを前進させると、該スライド駒２２ｂの係止板３０は弾性板４０の弾性に抗して上記スライド駒掛止板４１を中板４から離れる方向に押し退ける。その結果、上記スライド駒掛止板４１の前端の起立面４２が図１１（Ｃ）に示すように中板４から離れ、筆記状態にある上記リフィールのスライド駒２２ａの係止板３０の起立面３２と該起立面４２の係合が外れ、該スライド駒２２ａは作動ばね２６により後退し、図１１（Ａ）、（Ｂ）に示すように、リフィールの筆記先端は本体内に収納される。
【００１６】
また、いずれかのリフィールの先端が突出している状態でクリップ７を使用しようとすると、該リフィールは該クリップの操作により後退位置に移動される。例えば、上記図１０（Ｃ）の状態でクリップを使用するために、上記クリップ７の後端部７ａを図１２（Ａ）に示すように押圧すると、図１２（Ｂ）、（Ｃ）に示すように、クリップ７の裏面に形成したリブ４５及び尾栓３５の弾性板４０に形成した解除用突起４４を介してスライド駒掛止板４１は弾性板４０の弾性に抗して中板４から離れる方向に移動し、係止板３０の起立面３２とスライド駒掛止板４１の前端に設けた起立面４２の係合が外れるから、リフィールは作動ばね２６の作用で後退位置に移動し、本体内に収納される。
【００１７】
上記実施例においては、リブをクリップの裏面に設け、クリップ解除用突起を弾性板に設けたが、クリップの裏面に上記弾性板に当接するような突起を設けたり、弾性板側からクリップ裏面に近接する突起を設けてクリップで直接的に弾性板を押圧するようにしてもよい（図示略）。また、クリップと弾性板間に、独立した棒状部材（図示略）を設けクリップ後端部を押圧したときに上記弾性板が該棒状部材を介して移動されるようにしてもよい。
【図面の簡単な説明】
【００１８】
【図１】本発明の一実施例を示す平面図。
【図２】図１の側面図。
【図３】本体からテーパー部材、尾栓、スライド駒等を外し、クリップを分離した状態の斜視図。
【図４】クリップの後端部の拡大断面図
【図５】クリップを押圧した状態の側面図。
【図６】テーパー部材を示し、(Ａ)は平面図、(Ｂ)側面図。
【図７】スライド駒を示し、（Ａ）は平面図、（Ｂ）は側面図。
【図８】尾栓を示し、（Ａ）は平面図、（Ｂ）は側面図。
【図９】リフィールを収納した状態を示し、（Ａ）は平面から見た説明図、(Ｂ)は尾栓とスライド駒の関係の説明図、(Ｃ)は後端部の断面図。
【図１０】一方のリフィールを前進させた状態を示し、（Ａ）は平面から見た説明図、(Ｂ)は尾栓とスライド駒の関係の説明図、(Ｃ)は後端部の断面図。
【図１１】他方リフィールを前進させ状態を示し、（Ａ）は平面から見た説明図、(Ｂ)は尾栓とスライド駒の関係の説明図、(Ｃ)は後端部の断面図。
【図１２】クリップの後端部を押圧した状態を示し、（Ａ）は側面図、(Ｂ)は尾栓とスライド駒の関係の説明図、(Ｃ)は後端部の断面図。
【符号の説明】
【００１９】
１  本体
２  リフィール
３  格納部
４  中板
５  テーパー部材
７  クリップ
１８  グリップ部
２１  クリップばね
２２  スライド駒
２６  作動ばね
３０  係止板
３３  指当て部
３５  尾栓
４０  弾性板
４１  スライド駒掛止板
４４  クリップ解除用突起
４５  リブ
【図１】
2009178870.tif 000003
【図２】
2009178870.tif 000004
【図３】
2009178870.tif 000005
【図４】
2009178870.tif 000006
【図５】
2009178870.tif 000007
【図６】
2009178870.tif 000008
【図７】
2009178870.tif 000009
【図８】
2009178870.tif 000010
【図９】
2009178870.tif 000011
【図１０】
2009178870.tif 000012
【図１１】
2009178870.tif 000013
【図１２】
2009178870.tif 000014